(57)【要約】【課題】支持台に保護枠が角度調節可能に取り付けられるサーキュレータにおいて、サーキュレータ全体の省スペース化を図ること。【解決手段】台１の上方に設けられた支持部２と、この支持部２に支持された送風装置４と、この送風装置４の周囲に設けられ一方に吸込口１４を設けると共に他方に送風口１５を設けた保護枠と、角度調節機構５とを備える。前記支持部２に前記保護枠３を中心軸６回りに回動自在に取り付ける。前記支持部２に、この支持部２から外側に付勢されるストッパー２４を設け、前記保護枠３内に前記ストッパー２４が係合可能なストッパー受け部２３を設ける。前記支持部２を、前記保持枠３の吸込口１４側から前記保持枠３内に挿入して前記中心軸６を軸支し、前記ストッパー２４とストッパー受け部２３とを係合させて前記角度調節機構を構成したことにより、装置の全幅を小さくして、省スペース化を図ることができる。【選択図】図１
2010054084.tif 000002
【特許請求の範囲】
【請求項１】
台の上方に設けられた支持部と、この支持部に支持された送風装置と、この送風装置の周囲に設けられ一方に吸込口を設けると共に他方に送風口を設けた保護枠と、角度調節機構とを備えたサーキュレータにおいて、
前記支持部に前記送風装置又は保護枠を中心軸回りに回動自在に取り付け、前記支持部に、この支持部から外側に付勢されるストッパーを設け、前記保護枠内に前記ストッパーが係合可能なストッパー受け部を設けると共に、前記支持部を、前記保持枠の吸込口側から前記保持枠内に挿入して前記中心軸を軸支し、前記ストッパーとストッパー受け部とを係合させて前記角度調節機構を構成したことを特徴とするサーキュレータ。
【請求項２】
前記ストッパーが、付勢手段により前記支持部から突出する方向に付勢されていると共に、このストッパー受け部に、前記中心軸を中心とする周方向に沿って複数の凹部を設けたことを特徴とする請求項１記載のサーキュレータ。
【請求項３】
前記支持部が、前記台から前記保護枠に向けて突設する細長な線状材によって形成されることを特徴とする請求項１又は２記載のサーキュレータ。
【請求項４】
前記台と支持部が一本の線材によって一体に形成されることを特徴とする請求項１〜３のいずれか１項に記載のサーキュレータ。
【発明の詳細な説明】
【技術分野】
【０００１】
本発明は、室内の温度差を送風によって改善するサーキュレータに関するものである。
【背景技術】
【０００２】
従来、この種のサーキュレータは、台の上面に左右一対の支持部を立設し、これら支持部の上端の内側間にリング状の保護枠が設けられ、そしてこの保護枠内に軸流型のファンが設けられるものであって、前記保護枠の中心軸線と前記ファンの回転中心軸線が一致するように設けられている（例えば特許文献１）。
【特許文献１】登録実用新案登録第３１０４９００号公報
【発明の開示】
【発明が解決しようとする課題】
【０００３】
サーキュレータは、室内で使用されるものであり、省スペースであることが好ましい。しかしながら、従来技術においては、前記保護枠の外側に前記支持部が設けられており、送風通路の直径の他に前記支持部の幅が必要になるなど、送風通路より全体幅が大きくなってしまうものであった。更に、前記支持部の先端と前記保護枠との間に角度調節装置を設ける必要があった。これらの結果、装置の省スペースを図ることができなかった。
【０００４】
本発明は以上の問題点を解決し、支持台に保護枠が角度調節可能に取り付けられるサーキュレータにおいて、サーキュレータ全体の省スペース化を図ることを目的とする。
【課題を解決するための手段】
【０００５】
請求項１の発明は、台の上方に設けられた支持部と、この支持部に支持された送風装置と、この送風装置の周囲に設けられ一方に吸込口を設けると共に他方に送風口を設けた保護枠と、角度調節機構とを備えたサーキュレータにおいて、前記支持部に前記送風装置又は保護枠を中心軸回りに回動自在に取り付け、前記支持部に、この支持部から外側に付勢されるストッパーを設け、前記保護枠内に前記ストッパーが係合可能なストッパー受け部を設けると共に、前記支持部を、前記保持枠の吸込口側から前記保持枠内に挿入して前記中心軸を軸支し、前記ストッパーとストッパー受け部とを係合させて前記角度調節機構を構成したことを特徴とするサーキュレータである。
【０００６】
請求項２の発明は、前記ストッパーが、付勢手段により前記支持部から突出する方向に付勢されていると共に、このストッパー受け部に、前記中心軸を中心とする周方向に沿って複数の凹部を設けたことを特徴とする請求項１記載のサーキュレータである。
【０００７】
請求項３の発明は、前記支持部が、前記台から前記保護枠に向けて突設する細長な線状材によって形成されることを特徴とする請求項１又は２記載のサーキュレータである。
【０００８】
請求項４の発明は、前記台と支持部が一本の線材によって一体に形成されることを特徴とする請求項１〜３のいずれか１項に記載のサーキュレータである。
【発明の効果】
【０００９】
請求項１の発明によれば、前記支持部が前記保護枠の内側に位置するので、装置の全幅を小さくして、省スペース化を図ることができるばかりでなく、前記保護枠の側面に前記支持体が配されないので、外観を単純化してデザイン性を高めることができる。
【００１０】
また、請求項２の発明によれば、前記保護枠に力を加えて、複数の前記凹部のいずれかに前記ストッパーを選択的に係合させることで、前記保護枠を所望の方向に簡単に向けて保持することができる。
【００１１】
また、請求項３の発明によれば、前記支持部を細くすることができるので、装置の小型化に寄与することができる。
【００１２】
更に、請求項４の発明によれば、前記台と支持体とを容易に製造することができ、強度を高めることができるばかりでなく、前記台と支持体とを更に小型化することができる。
【発明を実施するための最良の形態】
【００１３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１４】
図１乃至図５は実施例１を示している。サーキュレータは、床やテーブル或いは壁などに設置される台１と、この台１から上方に立設する左右一対の支持部２と、これら支持部２の上端部２Ａに取り付けられると共に送風案内筒の機能を果たす保護枠３と、この保護枠３内に設けられる送風装置４とを備えたものである。そして、前記支持部２の上端部２Ａと保護枠３との間に、前記送風装置４、ひいては前記保護枠３の起伏仰角を調節して停止状態とする角度調節手段５が設けられている。
【００１５】
前記台１と支持部２は、１本の断面円形な線材やパイプ等を曲げて形成したものである。即ち、前記台１と支持部２は一体に形成されている。前記台１は、平面視でＣ字状に形成されていると共に、前記支持部２は、前記台１の開口端部からその反対側へ向けて斜め上方に立設しており、その上端部２Ａ側に、前記保護枠３、即ちこの内部に設けられた前記送風装置４が支持されている。そして、前記支持部２の上端部２Ａよりやや下方には、中心軸６が設けられている。この中心軸６は、その軸線６Ａの方向が前記支持部２の長手方向と直交するように、この支持部２に設けられている。前記中心軸６は、前記送風装置４が起伏回動するときの回転中心となる。なお、前記台１には、設置場所の床等を傷つけないように、複数の足１Ａが装着されている。
【００１６】
前記送風装置４は、プロペラ形状の羽根７が装着された回転軸８Ａを一方に備えたモータ８と、前記回転軸８Ａが突出した状態で前記モータ８の回転軸８Ａ側を覆うモータカバー９とを備えたものである。なお、前記羽根７は、その中心部の一方から螺子軸１０を差し込んで、この螺旋軸１０と前記回転軸８Ａとを螺合させることで、前記回転軸８Ａに固定されるものである。
【００１７】
さらに、前記モータカバー９の左右側面には、前記中心軸６の軸受け１１を構成する突部９Ａが一体に設けられる。なお、前記軸受け１１は、前記モータ８の左右側面に設けられる。また、前記モータカバー９は、第１の雄螺子部材１２によって、後述する固定用受け座２０に固定される。更に、前記軸受け１１は、前記モータカバー９の左右側面から左右にそれぞれ突設した前記突部９Ａと、固定用受け座２０（後述）に形成された、上方を開口部とした溝（図示せず）とで構成されている。そして、前記中心軸６を前記開口部から前記溝に挿入し、前記モータカバー９を固定用受け座２０（後述）に固定して前記突部９Ａで前記開口部を塞ぐことで、前記軸受け１１に前記中心軸６が軸支され、この中心軸６を回動中心として、前記送風装置４が起伏できる。
【００１８】
前記保護枠３は、一方に吸い込み口１４が形成されると共に、他方に送風口１５が形成された円筒形であって、その中心軸線３Ａが、前記回転軸８Ａとほぼ一致するように形成されたものである。前記保護枠３は、その内径が、前記羽根７の直径よりもやや大きく形成されていると共に、前記中心軸線３Ａ方向の長さが、前記保護枠３の直径とほぼ同じ長さに形成されている。なお、実施例では、前記羽根７の直径Ｄ１は、前記保護枠３の長さＬの７５％より大きくなっており（Ｄ１＞０．７５Ｌ）、前記保護枠３の長さＬと前記保護枠３の直径Ｄ２はほぼ等しくなっている（Ｌ≒Ｄ２）。さらに、前記羽根７は、前記保護枠３内において、前記中心軸線３Ａの中央よりも前記送風口１５側に位置している。そして、前記保護枠３の側面で且つ前記羽根７の上流側（即ち、図１及び図２における下方側）には、前記保護枠３の内外を連通する連通部１６が、複数のスリットによって形成されている。また、前記吸い込み口１４には、複数の吸込案内板１７が設けられている。これらの吸込案内板１７は、前記中心軸線３Ａを中心として放射状に設けられたものであり、これらの吸込案内板１７間に、それぞれ隙間１７Ａが設けられている。更に、前記送風口１５には複数の送風案内板１８Ａが設けられたグリル１８が着脱自在に取り付けられている。前記送風案内板１８は、前記中心軸線３Ａを中心として渦巻き状に設けられたものであり、これらの送風案内板１８Ａ間に、それぞれ隙間１８Ｂが設けられている。なお、前記保護枠３の外周面には、前記モータ８を作動させるためのスイッチ操作部１９が設けられている。
【００１９】
前記送風装置４は、前記吸込案内板１７の内側の中央部で且つ前記中心軸線３Ａ上に、前記吸込案内板１７と一体に設けられた固定用受け座２０に固定されている。即ち、前記送風装置４は、これを構成する前記モータ８を前記固定用受け座２０に載置した後、両者を第２の雄螺子部材２１によって固定することで、前記保護枠３に固定される。更に、前述したように、前記モータカバー９を、前記固定用受け座２０に前記第１の雄螺子部材１２によって固定することで、前記モータ８は、前記モータカバー９と固定用受け座２０によって囲まれる。このように、前記送風装置４を固定することにより、前記中心軸６が、円弧面２２の中心となるように、ストッパー受け部２３が装着される。
【００２０】
前記角度調節手段５は、前記支持部２の上端部２Ａに設けられる細く短い棒状のストッパー２４と、前記モータカバー９に設けられて前記ストッパー２４が選択的に係止可能な前記ストッパー受け部２３からなる。前記ストッパー２４について詳述する。前記支持部２の先端面２Ｂに、有底凹状の孔２５を形成する。この孔２５は、前記先端面２Ｂに開口部２５Ａを形成すると共に、前記支持部２の上端部２Ａに長さ方向に凹設したものである。なお、前記孔２５の開口部２５Ａから底端までの奥行きは、前記中心軸６まで達しない寸法となっている。そして、前記孔２５に前記ストッパー２４の基端２４Ａ側を挿入すると共に、前記孔２５の底端と前記ストッパー２４の基端側の間に、圧縮コイルバネ２６を介在させる。これによって、前記ストッパー２４は、その先端２４Ｂが前記開口部２５Ａから常時突出するように、前記支持部２の長さ方向外側に付勢されると共に、前記支持部２の長さ方向に沿って摺動できるようになっている。前記ストッパー受け部２３は、前記モータカバー９を前記第１の雄螺子部材１２によって前記固定用受け座２０に固定することで、前記送風装置４のモータカバー９の左右両側で且つ前記モータカバー９と固定用受け座２０との間に挟持される。そして、前記ストッパー受け部２３には、前記中心軸６の軸線６Ａを中心として円周方向に並ぶように、前記円弧面２２上に凹部２７が複数設けられる。なお、前記円弧面２２は、前記軸線６Ａを中心として挟角Ａがほぼ９０度となるように形成されている。また、複数の前記凹部２７は、実施例では、前記円弧面２２上の５か所に波型形状に形成されている。そして、前記凹部２７は、実施例では、断続的に且つ等間隔に形成されている。なお、前記凹部２７は、それらの面が連続するように設けても良い。
【００２１】
更に、前記固定用受け座２０には、前記支持部２が貫通してその上端部２Ａが前記ストッパー受け部２３に対向するようにするための貫通孔２８が設けられる。この貫通孔２８は、前記ストッパー受け部２３と対向すると共に溝状の細長形状に形成されている。そして、前記貫通孔２８に前記支持部２が回動可能に貫通することで、前記支持部２の先端部２Ａが前記保護枠３の内側に配置されている。
【００２２】
次に、上記構成について、その作用を説明する。前記スイッチ操作部１９を操作することで、前記モータ８が作動して、回転軸８Ａ、即ちこの回転軸８Ａに取り付けられた前記羽根７が回転する。そして、この羽根７が回転することで、前記吸込口１４から空気を吸い込んで、前記送風口１５から吐出する。これによって、前記送風口１５から送風することができる。
【００２３】
そして、前記ストッパー２４が前記ストッパー受け部２３のいずれか一つの凹部２７と係合することで、前記ストッパー受け部２３が固定された前記保護枠３の向きが所定の角度で保持される。なお、図１の状態で前記ストッパー２４と凹部２７とが係合した場合、前記保護枠３は、その中心軸線３Ａがほぼ垂直となり、送風方向は下から上となる。
【００２４】
この状態から、前記保護枠３の中心軸線３Ａの向き、即ち送風方向を変更する場合、前記中心軸５が回転中心となるように、前記保護枠３に力を加えてこの保護枠３を動かすと、前記支持部２が前記貫通孔２８内で揺動する。この際、前記ストッパー２４が前記円弧面２２に沿って摺動しようとするが、前記ストッパー２４の先端２４Ｂが前記凹部２７に当接していることによって、前記ストッパー２４は、前記圧縮コイルバネ２６の付勢力に抗して後退する。そして、前記保護枠３を更に回動させると、前記ストッパー２４が前記凹部２７間の凸部を乗り越えることで、前記ストッパー２４は、再び前記圧縮コイルバネ２６の付勢力によって突出し、隣接する前記凹部２７と係合する。この動作を繰り返し、前記ストッパー２４を前記ストッパー受け部２３の所定の凹部２７に係合させることで、前記ストッパー受け部２３が固定された前記保護枠３の中心軸線３Ａが、図５に示すような斜め上向き、或いは水平となるように保持される。
【００２５】
以上のように、上記実施例では台１の上方に設けられた支持部２と、この支持部２に支持された送風装置４と、この送風装置４の周囲に設けられ一方に吸込口１４を設けると共に他方に送風口１５を設けた保護枠と、角度調節機構５とを備え、前記支持部２に前記送風装置４又は保護枠３を中心軸６回りに回動自在に取り付け、前記支持部２に、この支持部２から外側に付勢されるストッパー２４を設け、前記保護枠３内に前記ストッパー２４が係合可能なストッパー受け部２３を設けると共に、前記支持部２を、前記保持枠３の吸込口１４側から前記保持枠３内に挿入して前記中心軸６を軸支し、前記ストッパー２４とストッパー受け部２３とを係合させて前記角度調節機構５を構成したことにより、前記支持部２が前記保護枠３の内側に位置するので、装置の全幅を小さくして、省スペース化を図ることができるばかりでなく、前記保護枠の側面に前記支持体が配されないので、外観を単純化してデザイン性を高めることができる。
【００２６】
また、前記ストッパー２４が、付勢手段としての圧縮コイルバネ２６により前記支持部２から突出する方向に付勢されていると共に、このストッパー受け部２３に、前記中心軸６を中心とする周方向に沿って複数の凹部２７を設けたことにより、前記保護枠３に力を加えて、複数の前記凹部２７のいずれかに前記ストッパー２４を選択的に係合させることで、前記保護枠３を所望の方向に簡単に向けて保持することができる。
【００２７】
更に、前記支持部２が、前記台１から前記保護枠３に向けて突設する細長な線状材によって形成され、この支持部２の上端２Ａにストッパー２４が設けられることにより、前記支持部２を細くすることができるので、装置の小型化に寄与することができるばかりでなく、前記保護枠３の内部が前記支持部２に大きく占有されるようなことがなく、前記保護枠３内部の空気通路面積を大きく確保することができる。
【００２８】
しかも、前記台と支持部が一本の線材によって一体に形成されることにより、前記台と支持体とを容易に製造することができ、強度を高めることができるばかりでなく、前記台と支持体とを更に小型化することができる。
【産業上の利用可能性】
【００２９】
以上のように本発明に係るサーキュレータは、各種の用途に適用できる。
【図面の簡単な説明】
【００３０】
【図１】本発明の実施例１を示す断面図である。
【図２】同、分解斜視図である。
【図３】同、要部の分解斜視図である。
【図４】同、保護枠３の吸い込み口１４側の斜視図である。
【図５】同、全体斜視図である。
【符号の説明】
【００３１】
１  台
２  支持部
２Ａ  上端部
３  保護枠
４  送風装置
５  角度調節機構
６  中心軸
６Ａ  軸線
１４  吸込口
１５  送風口
２２  円弧面
２３  ストッパー受け部
２４  ストッパー
２６  圧縮コイルバネ（付勢手段）
２７  凹部
【図１】
2010054084.tif 000003
【図２】
2010054084.tif 000004
【図３】
2010054084.tif 000005
【図４】
2010054084.tif 000006
【図５】
2010054084.tif 000007